【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
骨インプラントに使用する器具であって、
衝撃付与体と、
衝撃付与体を通るチャネルとを有し、チャネルは長手方向軸線を有しており、
近位端および遠位端を備えたシャフトを有し、シャフトの遠位端は、シャフトが衝撃付与体に対してピボット回転できるように衝撃付与体に対して作動可能に連結され、
少なくとも２つの作動位置を備えたロッキング機構を更に有し、前記ロッキング機構は、第一位置ではシャフトが衝撃付与体に対してピボット回転することを許容し、第二位置ではシャフトが衝撃付与体に対してピボット回転することを防止するようにした、
ことを特徴とする器具。
【請求項２】
前記衝撃付与体が一軸線を有し、前記チャネルの長手方向軸線は衝撃付与体の前記軸線に対して平行であることを特徴とする請求項１記載の器具。
【請求項３】
前記衝撃付与体は外面を有し、前記チャネルは衝撃付与体の外面と交差することを特徴とする請求項２記載の器具。
【請求項４】
前記衝撃付与体は、チャネルおよび衝撃付与体の外面に連通するスロットを有することを特徴とする請求項３記載の器具。
【請求項５】
前記スロットはチャネルの長手方向軸線に対して、或る角度をなしていることを特徴とする請求項４記載の器具。
【請求項６】
前記スロットはチャネルに対して平行であることを特徴とする請求項４記載の器具。
【請求項７】
ハンドルを更に有することを特徴とする請求項１記載の器具。
【請求項８】
前記シャフトの少なくとも一部には、ねじ山が形成されることを特徴とする請求項１記載の器具。
【請求項９】
前記シャフトは、衝撃付与体の近くのねじ山と、シャフトの近位端の近くのねじ山と、これらのねじ山間のねじ山が設けられていない部分とを有することを特徴とする請求項８記載の器具。
【請求項１０】
前記ロッキング機構は、シャフトと関連するロッキング部材を有し、前記ロッキング部材は、前記ロッキング部材がシャフトに対して固定され、かつ、シャフトが衝撃付与体に対してピボット回転できるシャフト上の固定位置に移動できることを特徴とする請求項９記載の器具。
【請求項１１】
前記ロッキング機構は、シャフトのねじ山部分と係合する雌ねじを有していることを特徴とする請求項８記載の器具。
【請求項１２】
前記ロッキング機構は、第一位置において衝撃付与体から離脱し、かつ、第二位置において衝撃付与体と係合することを特徴とする請求項１記載の器具。
【請求項１３】
前記ロッキング機構は、ロッキング機構をシャフト上に締付ける手段を有していることを特徴とする請求項１記載の器具。
【請求項１４】
前記締付け手段は、器具を受入れる部分を有していることを特徴とする請求項１３記載の器具。
【請求項１５】
骨インプラントに使用する器具であって、
外面を備えたヘッドと、
前記ヘッドを通るチャネルとを有し、チャネルは長手方向軸線を有しており、
チャネルおよびヘッドの外面と交差するスロットを有し、
近位端および遠位端を備えたシャフトを有し、シャフトの遠位端は、ヘッドに対して作動できるように連結され、
少なくとも２つの状態を備えたロッキング機構を更に有し、前記ロッキング機構は、第一状態ではシャフトがヘッドに対してピボット回転することを許容し、第二状態ではシャフトがヘッドに対してピボット回転することを防止するようにした、
ことを特徴とする器具。
【請求項１６】
前記スロットは、チャネルの長手方向軸線に対して平行でないことを特徴とする請求項１５記載の器具。
【請求項１７】
前記スロットはチャネルに対して平行であることを特徴とする請求項１５記載の器具。
【請求項１８】
前記ヘッドが一軸線を有し、前記チャネルの長手方向軸線はヘッドの前記軸線に対して平行であることを特徴とする請求項１５記載の器具。
【請求項１９】
サイドチャネルを更に有し、前記サイドチャネルは、チャネル、ヘッドの外面およびスロットに連通していることを特徴とする請求項１５記載の器具。
【請求項２０】
ハンドルを更に有することを特徴とする請求項１５記載の器具。
【請求項２１】
前記ロッキング機構は、第一状態においてヘッドから離脱し、かつ、第二状態においてヘッドと係合することを特徴とする請求項１５記載の器具。
【請求項２２】
前記ロッキング機構は、ロッキング機構をシャフト上に締付ける手段を有していることを特徴とする請求項１５記載の器具。
【請求項２３】
前記スロットは、チャネルおよびヘッドの外面と交差しているヘリカルスロットであることを特徴とする請求項１５記載の器具。
【請求項２４】
前記シャフトの遠位端の少なくとも一部には、ねじ山が設けられることを特徴とする請求項１５記載の器具。
【請求項２５】
前記ロッキング機構は、シャフトの遠位端の少なくとも一部のねじ山と係合するように構成されかつ設計されており、ロッキング機構は、遠位側のねじ山と係合するとヘッドに接触し、シャフトに対してヘッドが移動することを防止することを特徴とする請求項２４記載の器具。
【請求項２６】
前記シャフトの近位端の少なくとも一部には、ねじ山が設けられることを特徴とする請求項１５記載の器具。
【請求項２７】
前記ロッキング機構は、シャフトの近位端の少なくとも一部のねじ山と係合するように構成されかつ設計されており、ロッキング機構は、近位側のねじ山と係合するとヘッドから或る距離を隔てて配置され、シャフトに対してヘッドが移動することを許容することを特徴とする請求項２６記載の器具。
【請求項２８】
骨インプラントに衝撃を付与し、位置決めしかつ取出す器具であって、
ヘッドと、
前記ヘッドを通るチャネルと、
少なくともねじ山部分、近位端および遠位端を備えたシャフトとを有し、前記シャフトの遠位端は、シャフトに対するヘッドのピボット回転を許容するようにヘッドに対して作動可能に連結されており、
雌ねじ部分を備えたロッキング部材を更に有し、ロッキング部材は、シャフトがヘッドに対してピボット回転することをロッキング部材が許容する第一位置から、ロッキング部材のねじ山部分がシャフトのねじ山部分と係合して、ヘッドと接触するようにロッキング部材を位置決めし、かつ、ヘッドに対してシャフトがピボット回転することを防止する第二位置まで移動できるようにした、
ことを特徴とする器具。
【請求項２９】
前記ロッキング部材は、第一位置においてヘッドから離脱することを特徴とする請求項２８記載の器具。
【請求項３０】
ガイドをチャネル内に保持する手段を更に有することを特徴とする請求項２８記載の器具。
【請求項３１】
前記保持手段はプランジャであり、前記プランジャはヘッド内のスプリングおよびベアリングを備え、前記ベアリングはチャネル内で移動して、ガイドをチャネル内に保持できることを特徴とする請求項２８記載の器具。
【請求項３２】
前記保持手段はフィンガであり、前記フィンガはチャネル内で移動できることを特徴とする請求項２８記載の器具。
【請求項３３】
前記保持手段は、ガイドを受入れるチャネルに第一直径を形成し、前記保持手段は、ガイドを受入れるチャネルに第二直径を形成するように調節可能であることを特徴とする請求項２８記載の器具。
【手続補正２】
【補正対象書類名】明細書
【補正対象項目名】発明の名称
【補正方法】変更
【補正の内容】
【発明の名称】インプラントの挿入、位置決めおよび取出し器具
【手続補正３】
【補正対象書類名】明細書
【補正対象項目名】０００１
【補正方法】変更
【補正の内容】
【０００１】
本発明は、インプラントを骨に挿入し、位置決めし、および／または、骨から取出す器具に関するものであって、より詳しくは、器具の本体部分に対して選択的に固定され、または、自由にピボット回転でき、および／または、回転できる部分を備えた器具に関する。
【手続補正４】
【補正対象書類名】明細書
【補正対象項目名】０００７
【補正方法】変更
【補正の内容】
【０００７】
本発明に関連する技術において、インプラントに衝撃を付与して骨内に挿入し、インプラントを骨から引出し、抽出しまたは取出し、および／または、インプラントを骨内で位置変更する方法を提供する。ロッドに衝撃を付与し、位置変更し、または、骨からロッドを引出す一方法では、器具は、ロッドに取付けられるインプラントインサータに使用できる。インサータには、照準アームおよびインサータの端部近くの拡大部を設けることができる。器具を使用する一例示方法は、ロッキング機構がヘッドと係合するようにロッキング機構を移動させてシャフトに対してヘッドを固定（すなわち、ヘッドはシャフトに対してピボット回転、回転または直線運動しない）する段階と、器具のヘッドにより、ロッドまたはインサータの拡大部（インサータを使用する場合）に衝撃を付与する段階とを有している。